(57)【特許請求の範囲】
【請求項１】
光コネクタが接続される複数のアダプタをパネルに装着し、該アダプタパネルを支柱により光成端箱の筺体にスライド可能に取り付ける構造において、
前記筺体に支柱を取り付けるエンボス加工部を形成し、エンボス加工部に支柱を回り止めする係止穴と、支柱をネジ止めする取付穴とを設け、支柱またはアダプタパネルに長穴を形成し、長穴に通したネジによりアダプタパネルを支柱にスライド可能に取り付け、
前記エンボス加工部の中心に前記取付穴を設け、取付穴の周囲に四つの前記係止穴を形成し、前記支柱の下端に四つの係止穴のうちの二つに選択的に挿入される一対の係止爪を設け、係止爪の上側にエンボス加工部の上面に載る取付片を直角に折り曲げ、取付片のネジ挿通穴に通したネジを前記取付穴に締め付けることで、支柱を筺体に垂直に取り付けたことを特徴とするアダプタパネルの取付構造。
【請求項２】
前記筺体に三つのエンボス加工部を鍵形に配設し、一本の支柱をコーナ部のエンボス加工部に立設し、もう一本の支柱を二つのエンボス加工部に選択的に立設することで、一つのアダプタパネルを異なる向きに取り付けることを特徴とする請求項１記載のアダプタパネルの取付構造。
【請求項３】
前記筺体に少なくとも三つのエンボス加工部を同一直線上に配設し、そのうちの二つを選択して二本の支柱を立設し、異なる大きさのアダプタパネルを取り付けることを特徴とする請求項１記載のアダプタパネルの取付構造。
【発明の詳細な説明】
【技術分野】
【０００１】
本発明は、光コネクタが接続される複数のアダプタをパネルに装着し、このアダプタパネルを支柱により光成端箱の筺体にスライド可能に取り付ける構造に関する。
【背景技術】
【０００２】
従来、スプライスボックス等の光成端箱において、アダプタパネルを前後にスライ可能に取り付け、手前側に引き出して光コネクタの接続を容易にする技術が知られている。例えば、特許文献１には、図９に示すように、筺体５０の本体パネル５１に取付基板５２を接合し、取付基板５２に二本の支柱５３を立設し、支柱５３のガイド溝５４にアダプタパネル５５の左右の突片５６を挿入し、アダプタパネル５５を支柱５３にスライド可能に支持し、ラッチ５７で掛止する構造が記載されている。
【０００３】
支柱５３は三枚の帯板５８，５９，６０を溶接で貼り合わせて形成され、中間の帯板５９の幅を狭くすることで、支柱５３にガイド溝５４が形成されている。外側二枚の帯板５８，６０の下端には取付部６１，６２が折り曲げられ、一方の取付部６１に設けた係止爪６３が取付基板５２の係止穴６４に回り止めされ、他方の取付部６２に設けた穴６５を通るネジ６６によって支柱５３が取付基板５２に取り付けられる。
【特許文献１】特開２００６−７８８７４号公報
【発明の開示】
【発明が解決しようとする課題】
【０００４】
ところが、従来の取付構造によると、支柱５３を本体パネル５１とは別個の基板５２上に設ける必要がある。また、支柱５３が三枚の帯板５８，５９，６０で形成されているので、部品点数が増えるばかりでなく、溶接するために工数が増加する。しかも、左右のガイド溝５４を相対させるために、二本の支柱５３を別部品として製作し管理する必要もある。この結果、光成端箱の製作コストが高くつくという問題点があった。
【０００５】
本発明の目的は、上記課題を解決し、少数の部品と工数でアダプタパネルを光成端箱の筺体に安価に取り付けることができる構造を提供することにある。
【課題を解決するための手段】
【０００６】
上記の課題を解決するために、本発明は、光コネクタが接続される複数のアダプタをパネルに装着し、該アダプタパネルを支柱により光成端箱の筺体にスライド可能に取り付ける構造において、次のような手段を採用したことを特徴とする。
（１）筺体に支柱を取り付けるエンボス加工部を形成し、エンボス加工部に支柱を回り止めする係止穴と、支柱をネジ止めする取付穴とを設け、支柱および／またはアダプタパネルに長穴を形成し、長穴に通したネジによりアダプタパネルを支柱にスライド可能に取り付けることを特徴とするアダプタパネルの取付構造。
【０００７】
（２）エンボス加工部の中心に取付穴を設け、取付穴の周囲に四つの係止穴を形成したことを特徴とするアダプタパネルの取付構造。
（３）筺体に三つのエンボス加工部を鍵形に配設し、一本の支柱をコーナ部のエンボス加工部に立設し、もう一本の支柱を二つのエンボス加工部に選択的に立設することで、一つのアダプタパネルを異なる取り付けることを特徴とするアダプタパネルの取付構造。
（４）筺体に少なくとも三つのエンボス加工部を同一直線上に配設し、そのうちの二つを選択して二本の支柱を立設することで、異なる大きさのアダプタパネルを同じ向きに取り付けることを特徴とするアダプタパネルの取付構造。
【発明の効果】
【０００８】
本発明の取付構造によれば、光成端箱の筺体にエンボス加工部を設け、支柱をエンボス加工部の係止穴で回り止めして、取付穴にネジ止めする。このため、筺体上に、基板を設けることなく、支柱を直接立設することができる。アダプタパネルは、長穴とネジとによって支柱にスライド可能に取り付けられるので、支柱にガイド溝を設ける必要がなくなり、二本の支柱を一枚の平板で共通部品として製作できる。従って、アダプタパネルの取り付けに要する部品数及び工数を減らし、光成端箱の製作コストを削減できるという効果がある。
【発明を実施するための最良の形態】
【０００９】
以下、本発明をスプライスボックスに具体化した一実施形態を図面に基づいて説明する。図１はスプライスボックスの筺体にアダプタパネルを取り付ける構造を示す。図２は図１の取付構造においてアダプタパネルを筺体の手前側に引き出した状態を示す。図３は図１の取付構造の正面形状を示す。図４は筺体上のエンボス加工部に支柱を取り付ける構成を示す。図５はアダプタパネルの向きを変更可能にした取付構造を示す。図６は図５の取付構造の正面形状を示す。図７は増設用アダプタパネルを取付可能な構造を示す。図８（ａ），（ｂ）は図７の取付構造の正面形状を示す。
【実施例】
【００１０】
図１、図２に示すように、スプライスボックスの筺体１は、本体パネル２とカバーパネル（図示略）とから構成され、本体パネル２が建物等の壁面に設置される。本体パネル２の適所にはアダプタパネル３が設置され、このパネル３に複数のアダプタ４が縦横に装着されている。なお、図１は本体パネル２を伏せた状態で示しているが、設置形態では本体パネル１の上面がスプライスボックスの正面を向く。
【００１１】
アダプタ４はパネル３の左右両側に接続口５を備え、それぞれに一次側及び二次側光コードのコネクタ（図示略）が接続される。光コネクタの接続作業を容易にするために、本体パネル２の上に上下二本の支柱６が立設され、支柱６にアダプタパネル３が筺体１の前後方向にスライド可能に取り付けられている。
【００１２】
図３、図４に示すように、本体パネル２の底面には、支柱６を取り付けるためのエンボス加工部７が上下に二つ設けられている。エンボス加工部７は本体パネル２から隆起する円錐台形状に形成され、突端面の中央に支柱６をネジ止めする取付穴８が形成されている。取付穴８の周囲において、エンボス加工部７の裾部には支柱６を回り止めするための四つの係止穴９が同一円周上に形成されている。
【００１３】
支柱６の下端には一対の係止爪１０が形成され、四つの係止穴９のうちの二つに選択的に挿入される。係止爪１０の上側において、支柱６の下端部には取付片１１が直角に折り曲げられ、取付片１１にネジ挿通穴１２が形成されている。そして、取付片１１をエンボス加工部７の上面に載せ、ネジ１３をネジ挿通穴１２に通して取付穴８に締め付けることで、支柱６が本体パネル２に垂直に取り付けられている。
【００１４】
図２、図３に示すように、アダプタパネル３の上下両端部には長穴１４が支柱６の長手方向に延びるように形成され、ネジ１５が長穴１４を通って支柱６のネジ穴１６に螺着されている。アダプタパネル３はネジ１５により支柱６にスライド可能に取り付けられ、本体パネル２に接近する格納位置（図１参照）と、本体パネル２から手前側に離れた作業位置（図２参照）とに配置される。
【００１５】
上記構成の取付構造によれば、支柱６がエンボス加工部７の係止穴８に回り止めされ、ネジ１３により本体パネル２に強固に取り付けられる。このため、従来のように基板を別途に設ける必要がなく、支柱６を本体パネル２に直接立設することができる。アダプタパネル３は、長穴１４とネジ１５とを用いて、支柱６にスライド可能に取り付けられている。したがって、溶接工程を省き、支柱６を一枚の平板で簡単にプレス成形できるとともに、上下の支柱６を共通部品として安価に製作できる。
【００１６】
図５、図６に示す本体パネル２には、三つのエンボス加工部７Ａ，７Ｂ，７Ｃが鍵形に配設されている。つまり、一つのエンボス加工部７Ａが所定半径の円周の中心に設けられ、二つのエンボス加工部７Ｂ，７Ｃがその円周上に９０°の角度で設けられている。四つの係止穴９は、各エンボス加工部７Ａ，７Ｂ，７Ｃにそれぞれ同じ方位に形成されている。一本の支柱６はコーナ部のエンボス加工部７Ａに立設され、もう一本の支柱６が二つのエンボス加工部７Ｂ，７Ｃに選択的に立設される。この構成によれば、同じ大きさのアダプタパネル３を９０°異なる向きに取り付けることができる。
【００１７】
図７、図８に示す本体パネル２には、三つのエンボス加工部７Ｄ，７Ｅ，７Ｆが同一直線上に配設され、一本の支柱６が一つのエンボス加工部７Ｄに立設され、もう一本の支柱６が二つのエンボス加工部７Ｅ，７Ｆに選択的に立設されている。この構成によれば、図８（ａ）に示すように、支柱６をエンボス加工部７Ｄ，７Ｅに立設することで、小型のアダプタパネル３Ａを取り付けることができ、図７、図８（ｂ）に示すように、二本の支柱６をエンボス加工部７Ｄ，７Ｆに立設することで、大型の増設用アダプタパネル３Ｂを小型アダプタパネル３Ａと同じ向きまたは反対の向きに取り付けることができる。
【００１８】
本発明は、上記実施例に限定されるものではなく、以下に例示するように、発明の趣旨を逸脱しない範囲で各部の構成を適宜に変更して実施することも可能である。
（１）図３に示す取付構造とは逆に、長穴１４を支柱６に形成し、ネジ穴１６をアダプタパネル３に設けること。あるいは、アダプタパネル３と支柱６の両方に長穴１４を形成すること。
（２）上下二つのエンボス加工部７を左右に複数組配設し、縦向きのアダプタパネル３を横方向に複数枚並設すること。
（３）左右に二つのエンボス加工部７を上下に複数段配設し、横向きのアダプタパネル３を縦方向に複数枚並設すること。
（４）五つのエンボス加工部７を十字形に配設し、一つのアダプタパネル３を四方に向きをかえて取り付けること。
（５）三つ以上のエンボス加工部７を異なるピッチで一直線上に配設し、大きさの異なる多種類のアダプタパネル３を取付可能とすること。
【図面の簡単な説明】
【００１９】
【図１】本発明によるアダプタパネル取付構造の一実施例を示す斜視図である。
【図２】アダプタパネルのスライド動作を示す斜視図である。
【図３】アダプタパネルの取付構造を示す正面図である。
【図４】支柱の取付構造を示す斜視図である。
【図５】アダプタパネルの向きを変更可能にした取付構造を示す斜視図である。
【図６】図５の取付構造の正面図である。
【図７】増設用アダプタパネルを取付可能な構造を示す斜視図である。
【図８】図７の取付構造の正面図である。
【図９】従来のアダプタパネルの取付構造を示す斜視図である。
【符号の説明】
【００２０】
１    筺体
２    本体パネル
３    アダプタパネル
４    アダプタ
６    支柱
７    エンボス加工部
８    取付穴
９    係止穴
１０    係止片
１４    長穴
１５    ネジ
【図１】
0005049170.tif 000002
【図２】
0005049170.tif 000003
【図３】
0005049170.tif 000004
【図４】
0005049170.tif 000005
【図５】
0005049170.tif 000006
【図６】
0005049170.tif 000007
【図７】
0005049170.tif 000008
【図８】
0005049170.tif 000009
【図９】
0005049170.tif 000010